(57)【特許請求の範囲】
【請求項１】
ブレードユニット（１４）及び皮膚接触部材（１６）を備える剃毛ブレード組立体であって、
前記ブレードユニット（１４）が、上面（２４Ｃ）を有する筐体（２４）を有し、前記上面（２４Ｃ）を向く刃先（２２）を有する少なくとも１つの剃毛ブレード（２０）を備え、
前記ブレードユニットが、ブレードユニット平面（Ｐ３）を有し、
前記刃先（２２）が、前記ブレードユニット平面（Ｐ３）に対して第１ブレード角（Ａ２２）を有し、
前記皮膚接触部材（１６）が、前記剃毛ブレード（２０）の前方に延在する先行皮膚接触部分（３４）と、前記剃毛ブレード（２０）の後方に延在する後行皮膚接触部分（３６）と、を備え、
前記先行皮膚接触部分（３４）が、先行面（３４Ａ）を備え、
前記後行皮膚接触部分（３６）が、後行面（３６Ａ）を備え、
前記先行面（３４Ａ）及び前記後行面（３６Ａ）が、接触平面（Ｐ１）を画成し、
前記皮膚接触部材（１６）は、前記ブレードユニット（１４）に解放可能に接続され、
前記刃先（２２）が、前記接触平面（Ｐ１）に対して第２ブレード角（Ａ’２２）を有し、
前記第２ブレード角が、前記第１ブレード角とは異なる
ことを特徴とする剃毛ブレード組立体。
【請求項２】
前記ブレードユニット平面（Ｐ３）及び前記接触平面（Ｐ１）が、交差していることを特徴とする請求項１に記載の剃毛ブレード組立体。
【請求項３】
前記先行面（３４Ａ）が、平坦であり、
前記後行面（３６Ａ）が、平坦であることを特徴とする請求項１または２に記載の剃毛ブレード組立体。
【請求項４】
当該剃毛ブレード組立体が、前記接触平面（Ｐ１）に平行でありかつ最も後方にある前記刃先（２２）に接する組立体平面（Ｐ２）を有することを特徴とする請求項１から３のいずれか１項に記載の剃毛ブレード組立体。
【請求項５】
前記接触平面（Ｐ１）と前記組立体平面（Ｐ２）との間の距離（Ｄ）が、０．２ｍｍ以上０．６ｍｍ以下であることを特徴とする請求項４に記載の剃毛ブレード組立体。
【請求項６】
前記ブレードユニット（１４）が、ブレードユニット皮膚接触表面積（Ｓ１）を有し、前記ブレードユニット（１４）及び前記皮膚接触部材（１６）が、剃毛ブレード組立体皮膚接触表面積（Ｓ２）を有し、
前記剃毛ブレード組立体皮膚接触表面積（Ｓ２）と前記ブレードユニット皮膚接触表面積（Ｓ１）との間の比（Ｓ２／Ｓ１）が、２以上３．１以下であることを特徴とする請求項１から５のいずれか１項に記載の剃毛ブレード組立体。
【請求項７】
前記ブレードユニット（１４）が、ブレードユニット皮膚接触表面積（Ｓ１）を有し、前記ブレードユニット（１４）及び前記皮膚接触部材（１６）が、剃毛ブレード組立体皮膚接触表面積（Ｓ２）を有し、
前記剃毛ブレード組立体皮膚接触表面積（Ｓ２）と前記ブレードユニット皮膚接触表面積（Ｓ１）との間の比（Ｓ２／Ｓ１）が、１．４以上１．９５以下であることを特徴とする請求項１から５のいずれか１項に記載の剃毛ブレード組立体。
【請求項８】
前記皮膚接触部材（１６）が、前記ブレードユニット（１４）を囲んでいることを特徴とする請求項１から７のいずれか１項に記載の剃毛ブレード組立体。
【請求項９】
前記皮膚接触部材（１６）が、プラスチック、金属及び／またはラッカー塗装木質付加物から選択した材料を備え、
前記皮膚接触部材（１６）が、当該皮膚接触部材がプラスチックを備える場合に０．３以上０．７以下の摩擦係数を有する、当該皮膚接触部材が金属を備える場合に１．０５以上１．３５以下の摩擦係数を有する、または、当該皮膚接触部材がラッカー塗装木質付加物を備える場合に０．２５以上０．５以下の摩擦係数を有することを特徴とする請求項１から８のいずれか１項に記載の剃毛ブレード組立体。
【請求項１０】
前記皮膚接触部材（１６）が、前記ブレードユニット（１４）にスナップ係合されていることを特徴とする請求項１から９のいずれか１項に記載の剃毛ブレード組立体。
【請求項１１】
前記皮膚接触部材（１６）が、前記ブレードユニット（１４）の前記上面（２４Ｃ）に接続されていることを特徴とする請求項１から１０のいずれか１項に記載の剃毛ブレード組立体。
【請求項１２】
前記刃先（２２）を遮蔽するための保護被覆体（４６）をさらに備え、
前記保護被覆体（４６）が、スライド可能であり、前記保護被覆体には、ロック体（４８）が設けられて前記保護被覆体（４６）を完全停止位置で保持し、
前記皮膚接触部材（１６）が、前記保護被覆体（４６）の前記ロック体（４８）を受けるように形付けられたロック体スロット（５０）を備えることを特徴とする請求項１から１１のいずれか１項に記載の剃毛ブレード組立体。
【請求項１３】
前記皮膚接触部材（１６）が、サーモクロミック顔料を備えることを特徴とする請求項１から１２のいずれか１項に記載の剃毛ブレード組立体。
【請求項１４】
剃刀ハンドルと、請求項１から１３のいずれか１項に記載の剃毛ブレード組立体と、を備える剃刀であって、
当該剃毛ブレード組立体（１８）には、当該剃毛ブレード組立体（１８）を前記剃刀ハンドル（１２）に接続するための接続手段（４４）が設けられていることを特徴とする剃刀。
【発明の詳細な説明】
【技術分野】
【０００１】
本発明は、ブレードユニット及び皮膚接触部材を備える剃毛ブレード組立体と、剃刀ハンドル及びこのような剃毛ブレード組立体を備える剃刀と、に関する。
【０００２】
特に、本発明は、ブレードユニット及びアダプタすなわち皮膚接触部材を備える剃毛ブレード組立体に関する。
【背景技術】
【０００３】
このような剃毛ブレード組立体は、ブレード及び皮膚がブレードから皮膚への集中した圧力を防止し得る方法で、剃毛中にブレードと皮膚との間の滑らかな関係を維持することを可能とする。
【０００４】
公知の剃毛ブレード組立体は、一般に、潤滑剤、保湿剤、コンディショナ及び／または皮膚摩擦材のような剃刀の滑り性を改善する剃毛補助具が設けられた皮膚接触部材を備える。
【発明の概要】
【発明が解決しようとする課題】
【０００５】
しかしながら、剃毛補助具は、摩損し、ブレード組立体に対する剃毛補助具の寸法を変化させ、その結果、ユーザは、剃毛で傷つけて切ることがある。
【０００６】
したがって、公知の剃毛ブレード組立体は、剃毛補助具が摩耗し始めるとすぐに剃毛が良好な状態にあることを可能としない。さらに、皮膚接触部材が通常複数の材料で形成されている（２回及び３回の射出成形）ので、かつ／または、剃毛補助具が皮膚接触部材に付け加えられているので、このような公知の剃毛ブレード組立体の製造は、複雑である。
【０００７】
このため、剃毛ブレード組立体には、具体的な幾何形状が設けられており、この幾何形状は、ブレードの寿命中全体にわたって良好な剃毛を可能とし、ユーザは、滑り性及び滑らかな皮膚、通常剃毛の結果として生じる皮膚損傷からの解放を享受する。
【課題を解決するための手段】
【０００８】
本発明の一目的は、ブレードユニット及び皮膚接触部材を備える剃毛ブレード組立体を提供することであり、このブレードユニットは、刃先を有する少なくとも１つの剃毛ブレードを備え、ブレードユニットは、ブレードユニット平面を有し、刃先は、ブレードユニット平面に対して第１ブレード角を有し、皮膚接触部材は、剃毛ブレードの前方に延在する先行皮膚接触部分と、剃毛ブレードの後方に延在する後行皮膚接触部分と、を備え、先行皮膚接触部分は、先行面を備え、後行皮膚接触部分は、後行面を備え、先行面及び後行面は、接触平面を画成し、刃先は、接触平面に対して第２ブレード角を有する。
【０００９】
このような皮膚接触部材は、同様に、剃毛ブレード角を変化させることを可能とする。理解すべきことは、ブレードそれぞれがブレードユニットに対して画成された第１ブレード角と皮膚接触部材に対して画成された第２ブレード角とを有すること、である。剃毛ブレード角は、ブレードユニットを皮膚接触部材に接続していないときに第１ブレード角に対応する一方、剃毛ブレード角は、ブレードユニットを皮膚接触部材に接続すると第２ブレード角に対応する。
【００１０】
すなわち、ブレードの位置及び／もしくは露出並びに／またはブレード角は、ブレードユニットを皮膚接触部材に接続すると変化する。その結果、剃毛平面は、ブレードユニットを皮膚接触部材に接続したとき及びブレードユニットを接続していないときで異なる。したがって、本発明は、これらブレードユニットの製造を変化させずにブレードユニットをアダプタすなわち本発明にかかる皮膚接触部材に接続するだけでブレードユニットのうち少なくともブレード角の変化を可能とする。そのため、「既存の」ブレードユニットを本発明にしたがって使用してブレードの製造を変えずブレードユニットをアダプタすなわち本発明にかかる皮膚接触部材に接続するだけで、剃毛を改善し得る。
【００１１】
本発明の別の目的は、ブレードユニット及び皮膚接触部材を備える剃毛ブレード組立体を提供することであり、ブレードユニットは、刃先を有する少なくとも１つの剃毛ブレードを備え、ブレードユニットは、組立体平面を有し、皮膚接触部材は、剃毛ブレードの前方に延在する先行皮膚接触部分と、剃毛ブレードの後方に延在する後行皮膚接触部分と、を備え、先行皮膚接触部分は、先行平坦面を備え、後行皮膚接触部分は、後行平坦面を備え、先行平坦面及び後行平坦面は、接触平面を画成し、接触平面及び組立体平面は、平行であり、接触平面と組立体平面との間の距離は、０．１ｍｍから０．６ｍｍの間である。接触平面と組立体平面との間の距離は、好ましくは、０．２ｍｍから０．６ｍｍの間であり得る。
【００１２】
本発明の別の目的は、剃毛ブレード組立体を提供することであり、この剃毛ブレード組立体は、２から３．１の間である剃毛ブレード組立体皮膚接触表面積とブレードユニット皮膚接触表面積との間の比を有する。
【００１３】
本発明の別の目的は、剃毛ブレード組立体を提供することであり、この剃毛ブレード組立体は、１．４から１．９５の間である剃毛ブレード組立体皮膚接触表面積とブレードユニット皮膚接触表面積との間の比を有する。
【００１４】
皮膚接触部材に剃毛補助具を設ける必要は、もはやない。本発明にかかる皮膚接触部材は、ユーザが皮膚のより広い面積にかける圧力を広げ、また、皮膚接触部材がないブレードユニットによって引き起こされる皮膚の強い変形（皮膚隆起）を防止する。本発明にかかる皮膚接触部材は、単一の射出成形で製造され得、その結果、本発明にかかる剃毛ブレード組立体の製造コストは、このためより安価である。
【００１５】
本発明にかかる皮膚接触部材は、ブレード角を変化させるアダプタのようにかつ／または滑り性を可能としつつ皮膚へのストレッチャのように、機能する。また、本発明にかかる皮膚接触部材は、単一の製造ステップで製造され得、これは、より低い製造コスト及びより容易な品質制御を意味する。
【００１６】
本発明のいくつかの利点は、滑り性の快適な感覚及び剃毛中の皮膚の安全性、皮膚への損傷がないことを含み、誤ってまたは速い動きに起因してユーザが剃毛中に通常かけるよりも大きな圧力をかけた場合に、皮膚を損傷させない。すなわち、皮膚接触部材は、（例えば横方向のような）誤った動きに対してユーザを保護し、微小な傷及び刺激を皮膚に引き起こし得る過剰圧力を吸収する。上記特徴により、皮膚接触部材は、より滑らかな剃毛を可能とする。
【００１７】
上述した本発明のさまざまな目的それぞれを考慮して、本発明のさまざまな形態において、以下の特徴のうちの１つ及び／または他のものをこの皮膚接触部材に単独でまたは相互に組み合わせて組み込まれ得る。
【００１８】
刃先は、ブレードユニット平面に対して第１ブレード露出を有する。
【００１９】
刃先は、接触平面に対して第２ブレード露出を有する。
【００２０】
ブレードユニットは、複数の剃毛ブレードを備え、剃毛ブレードそれぞれは、ブレードユニット平面に対して第１ブレード角を有し、刃先それぞれは、接触平面に対して第２ブレード角を有する。
【００２１】
ブレードユニットは、複数の剃毛ブレードを備え、剃毛ブレードそれぞれは、刃先を有し、刃先それぞれは、ブレードユニット平面に対して第１ブレード露出を有し、刃先それぞれは、接触平面に対して第２ブレード露出を有する。理解すべきことは、ブレードユニットには複数のブレードが設けられている場合、ブレードそれぞれは、ブレードごとに異なる第１角を有し得ること、である。同じことが第２ブレード角について言える。また、１つの特定のブレードを考慮すると、その第１及び第２角は、異なり得る。逆に、第１ブレード角それぞれは、等しくなり得る。第１ブレード角それぞれは、同様に、等しくなり得、これら第２ブレード角は、第１ブレード角と等しくても異なってもよい。同じことがブレード露出について言える。
【００２２】
第２ブレード角は、第１ブレード角に等しい。
【００２３】
第２ブレード角は、第１ブレード角とは異なる。
【００２４】
第２ブレード角は、第１ブレード角より大きい。
【００２５】
第２ブレード角は、第１ブレード角より小さい。
【００２６】
第２ブレード露出は、第１ブレード露出に等しい。
【００２７】
第２ブレード露出は、第１ブレード露出とは異なる。
【００２８】
第２ブレード露出は、第１ブレード露出より大きい。
【００２９】
第２ブレード露出は、第１ブレード露出より小さい。
【００３０】
ブレードユニット平面及び接触平面は、交差する。
【００３１】
剃毛ブレード組立体は、接触平面と平行でありかつ最も後方にあるブレード縁に接する組立体平面を有する。
【００３２】
先行面は、平坦である。
【００３３】
後行面は、平坦である。
【００３４】
接触平面と組立体平面との間の距離は、０．１ｍｍから０．６ｍｍの間である。
【００３５】
接触平面と組立体平面との間の距離は、０．２ｍｍから０．６ｍｍの間である。
【００３６】
ブレードユニットは、ブレードユニット皮膚接触表面積を有し、ブレードユニット及び皮膚接触部材は、剃毛ブレード組立体皮膚接触表面積を有し、剃毛ブレード組立体皮膚接触表面積とブレードユニット皮膚接触表面積との間の比は、２から３．１の間である。
【００３７】
ブレードユニットは、ブレードユニット皮膚接触表面積を有し、ブレードユニット及び皮膚接触部材は、剃毛ブレード組立体皮膚接触表面積を有し、剃毛ブレード組立体皮膚接触表面積とブレードユニット皮膚接触表面積（Ｓ１）との間の比は、１．４から１．９５の間である。
【００３８】
皮膚接触部材には、剃毛補助具がなく、このため、皮膚接触部材は、剃毛補助具を有さない。
【００３９】
ブレードユニットは、防護体及びキャップをさらに備え、防護体は、刃先の前方に設けられる一方、剃毛補助具または潤滑体と共に設けられ得るキャップは、刃先の後方に位置し、ブレードユニット平面は、ブレードユニットの防護体及びキャップに接する。
【００４０】
皮膚接触部材は、ブレードユニットに不動に固定されており、実際には、皮膚接触部材は、剃毛中にブレードユニットに対して反ることを可能とされておらず、皮膚接触部材は、ブレードユニットを囲み、皮膚接触部材は、ブレードユニットに例えばスナップ係合され得る。
【００４１】
ブレードユニットは、上面を有する筐体を備え、ブレード縁は、上面を向き、皮膚接触部材は、ブレードユニットの上面に接続されている。
【００４２】
皮膚接触部材には、切欠部が設けられている。皮膚接触部材は、剃毛ブレードの前方に延在する先行皮膚接触部分と、剃毛ブレードの後方に延在する後行皮膚接触部分と、を備え、この場合、先行皮膚接触部分は、好ましくは、先行平坦面を備え、後行皮膚接触部分は、後行平坦面を備え、先行平坦面及び後行平坦面は、接触平面を画成し、また、この場合、先行皮膚接触部分は、好ましくは、先行湾曲面を介して先行平坦面に接続された先行長手方向面をさらに備え、後行皮膚接触部分は、後行湾曲面を介して後行平坦面に接続された後行長手方向面をさらに備え、先行長手方向面は、先行平坦面に対して十分に垂直であり、先行湾曲面は、約２ｍｍの曲率半径を有し、同様に、後行長手方向面は、後行平坦面に対して十分に垂直であり、後行湾曲面は、約２ｍｍの曲率半径を有する。
【００４３】
接触平面は、組立体平面の上方にあり、接触平面及び組立体平面は、平行であり、接触平面と組立体平面との間の距離は、０．２ｍｍから０．６ｍｍであり、２つの平面間のこの距離は、ブレードユニットと皮膚との間の、特にブレードと皮膚との間の安全な距離を提供し、この距離は、速く滑らかでより安全な剃毛を可能とする。
【００４４】
剃毛ブレード組立体皮膚接触表面積とブレードユニット皮膚接触表面積との間の比は、約２．５であり、接触平面及び組立体平面とは、平行であり、接触平面と組立体平面との間の距離は、約０．３ｍｍである。
【００４５】
皮膚接触部材は、プラスチック、金属及び／またはラッカー塗装木質付加物から選択した材料を備え、皮膚接触部材は、当該皮膚接触部材がプラスチックを備える場合に０．３以上０．７以下の摩擦係数を有し、当該皮膚接触部材が金属を備える場合に１．０５以上１．３５以下の摩擦係数を有し、または、皮膚接触部材がラッカー塗装木質付加物を備える場合に０．２５以上０．５以下の摩擦係数を有し、これら材料及び摩擦係数値は、現在の剃毛が抗摩擦材料を使用しているので、皮膚により良好な伸長を提供する。ここで示す摩擦係数値は、潤滑剤を使用していない。
【００４６】
剃毛ブレード組立体は、刃先を遮蔽するための保護被覆体をさらに備え、このような保護被覆体は、スライド可能であり、保護被覆体には、ロック体が設けられて保護被覆体を完全停止位置で保持する。
【００４７】
皮膚接触部材は、このような保護被覆体のロック体を受けるように形付けられたロック体スロットを備える。
【００４８】
皮膚接触部材は、サーモクロミック顔料を有し得、このため、皮膚接触部材は、ユーザに情報を回すために使用され得る。
【００４９】
本発明の別の目的は、剃刀ハンドル及びこのような剃毛ブレード組立体を備える剃刀を提供することであり、剃毛ブレード組立体には、剃毛ブレード組立体を剃刀ハンドルに接続するための接続手段が設けられている。剃刀ハンドルは、回動式にまたは回動式でなく剃毛ブレード組立体に接続され得、接続が回動可能である場合、接続手段は、好ましくは、ブレードユニットに設けられたシェルベアリング(shell bearing)を備え得る。
【００５０】
ここで、本発明の他の特徴及び利点は、添付の図面を参照して、非限定的な例として提供された以下の実施形態の以下の説明からすぐに明らかになる。
【図面の簡単な説明】
【００５１】
【図１Ａ】本発明の一実施形態にかかる剃刀を示す部分分解斜視図であって、この剃刀がブレードユニット及び皮膚接触部材を有する剃毛ブレード組立体を備え、皮膚接触部材がブレードユニットから取り外されている、部分分解斜視図である。
【図１Ｂ】本発明の別の実施形態にかかる剃刀を示す部分分解斜視図であって、この剃刀がブレードユニット及び皮膚接触部材を有する剃毛ブレードを備え、皮膚接触部材がブレードユニットから取り外されている、部分分解斜視図である。
【図１Ｃ】本発明の別の実施形態にかかる剃刀を示す部分分解斜視図であって、この剃刀がブレードユニット及び皮膚接触部材を有する剃毛ブレードを備え、皮膚接触部材がブレードユニットから取り外されている、部分分解斜視図である。
【図１Ｄ】本発明の別の実施形態にかかる剃刀を示す部分分解斜視図であって、この剃刀がブレードユニット及び皮膚接触部材を有する剃毛ブレードを備え、皮膚接触部材がブレードユニットから取り外されている、部分分解斜視図である。
【図２Ａ】図１Ａにかかる剃毛ブレード組立体を示す前面図であって、皮膚接触部材をブレードユニットに取り付けた、前面図である。
【図２Ｂ】図１Ｂにかかる剃毛ブレード組立体を示す前面図であって、皮膚接触部材をブレードユニットに取り付けた、前面図である。
【図２Ｃ】図１Ｃにかかる剃毛ブレード組立体を示す前面図であって、皮膚接触部材をブレードユニットに取り付けた、前面図である。
【図２Ｄ】図１Ｄにかかる剃毛ブレード組立体を示す前面図であって、皮膚接触部材をブレードユニットに取り付けた、前面図である。
【図３Ａ】図１Ａの皮膚接触部材を示す斜視図である。
【図３Ｂ】図１Ｂの皮膚接触部材を示す斜視図である。
【図３Ｃ】図１Ｃの皮膚接触部材を示す斜視図である。
【図４Ａ】図２Ａの皮膚接触部材を示す線ＩＶ−ＩＶに沿った長手方向断面図である。
【図４Ｂ】図２Ｂの剃毛ブレード組立体を示す線ＩＶ−ＩＶに沿った長手方向断面図である。
【図４Ｃ】図２Ｃの剃毛ブレード組立体を示す線ＩＶ−ＩＶに沿った長手方向断面図である。
【図４Ｄ】図２Ｄの剃毛ブレード組立体を示す線ＩＶ−ＩＶに沿った長手方向断面図である。
【図５Ａ】図２Ａの皮膚接触部材を示す線Ｖ−Ｖに沿った短手方向断面図である。
【図５Ｂ】図２Ｂの皮膚接触部材を示す線Ｖ−Ｖに沿った短手方向断面図である。
【図５Ｃ】図２Ｃの皮膚接触部材を示す線Ｖ−Ｖに沿った短手方向断面図である。
【図５Ｄ】図２Ｄの皮膚接触部材を示す線Ｖ−Ｖに沿った短手方向断面図である。
【図６Ａ】図１Ａのブレードユニットを示す線ＶＩ−ＶＩに沿った短手方向断面図である。
【図６Ｂ】図１Ｂのブレードユニットを示す線ＶＩ−ＶＩに沿った短手方向断面図である。
【図６Ｃ】図１Ｃのブレードユニットを示す線ＶＩ−ＶＩに沿った短手方向断面図である。
【図６Ｄ】図１Ｄのブレードユニットを示す線ＶＩ−ＶＩに沿った短手方向断面図である。
【図７Ａ】ブレードユニット皮膚接触表面積を示す概略上面図である。
【図７Ｂ】剃毛ブレード組立体皮膚接触表面積を示す概略上面図である。
【図８】接触平面と剃毛平面との間の比率及び距離に関する作業窓を示すグラフである。
【図９】剃毛中の従来技術の剃刀を示す概略短手方向断面図である。
【図１０】剃毛中の本発明にかかる剃刀を示す概略短手方向断面図である。
【図１１】本発明にかかる剃刀であって保護被覆体を取り外した剃刀を示す斜視図である。
【図１２】図１１の剃刀であって保護被覆体が部分的に取り付けられた剃刀を示す斜視図である。
【図１３】図１２の剃刀であって剃刀ハンドルを有さない剃刀を示す後方斜視図である。
【図１４】図１１の剃刀であって保護被覆体を取り付けた剃刀を示す前面図である。
【図１５】図１４の剃刀であって剃刀ハンドルを有さない剃刀を示す側面図である。
【発明を実施するための形態】
【００５２】
さまざまな図面において、同じ参照符号は、同一のまたは同様の要素を示す。
【００５３】
図面は、本発明にかかる湿式剃刀１０を示し、この剃刀は、剃刀ハンドル１２と、ブレードユニット１４を備える剃毛ブレード組立体と、皮膚接触部材１６と、を備え、この皮膚接触部材は、図面に示すように、ブレードユニット１４に接続され得、剃毛ブレード組立体１８を形成する。
【００５４】
図１Ａから図１Ｄ、図２Ａから図２Ｄ、図５Ａから図５Ｄまたは図６Ａから図６Ｄに示すように、ブレードユニット１４は、１以上の剃毛ブレード２０を有し、剃毛ブレード２０それぞれには、刃先２２が設けられている。より詳細には、ブレードユニット１４は、前縁２４Ａ及び後縁２４Ｂ並びに上面２４Ｃ及び反対側の下面２４Ｄを有し、このブレードユニットには、（前縁と後縁との間に）１以上の剃毛ブレード２０が位置する。ブレード縁は、上面２４Ｃを向く。皮膚接触部材１６は、ブレードユニット１４の上面２４Ｃに接続されている。
【００５５】
剃毛ブレード２０は、筐体に設けられた弾性指体に移動可能に搭載されているか固定されている。移動可能である場合、ブレード２０は、図１Ａの例に関して示すように、クリップ２３で筐体２４に固定され得る。
【００５６】
剃毛ブレード２０の数は、例えば１と５との間であり得、好ましくは、３つまたは４つのブレードである。図１Ａ、図１Ｃ及び図１Ｄは、３つのブレードのブレードユニット１４を示す一方、図１Ｂは、１つのブレードのブレードユニット１４を示す。
【００５７】
筐体２４は、好ましくは、細長く、長手方向軸Ｘ−Ｘに沿って延在する。
【００５８】
防護棒２６及び被覆体２８は、同様に、剃毛ブレード２０の前（すなわち前方）に及びブレードの後（すなわち、後方または後側）において、筐体２４の上面２４Ｃに各別に設けられ得る。ブレードユニットが複数のブレード２０を備える場合、ブレード縁２２の前方は、最も前方にあるブレード縁の前方を意味しており、後方は、最も後方にあるブレード縁の後方を意味する。
【００５９】
被覆体２８には、図１Ａ、図１Ｃ及び図１Ｄに示すように、剃毛補助具、全体的に符号付された（潤滑剤、湿潤剤、コンディショナ及び／または皮膚摩擦材のような）潤滑体２８’が設けられ得る。被覆体２８には、図１Ｂに示すように、剃毛補助具が設けられなくてもよい。この実施形態において、被覆体２８には、長手方向リブ（図示略）がまたは長手方向軸Ｘ−Ｘに対する短手方向に延在する溝２９が設けられ得る。
【００６０】
図１Ａ、図１Ｃ及び図１Ｄの実施形態で示すように、防護棒２６は、（好ましくは長手方向軸Ｘ−Ｘに平行な）長手方向フィンが好ましくは設けられた弾性材料であり得る。図１Ｂに示すように、防護棒２６は、長手方向軸Ｘ−Ｘに好ましくは平行である長手方向に延在するワイヤを備え得る。この防護棒２６は、金属であり得る。
【００６１】
剃毛ブレード２０それぞれの刃先２２は、図１Ａから図１Ｄで最もよくわかるように、長手方向軸Ｘ−Ｘに沿って防護棒２６に向けて好ましくは長手方向に延在する。
【００６２】
筐体２４は、ブレード縁２２の前方に位置する第１部分２４’と、ブレード縁２２の後方に位置する第２部分２４”と、をさらに備える。図５Ａで最も見えるように、筐体２４に防護棒２６が設けられている場合、第１部分２４’は、最も前方にあるブレード縁２２と防護棒２６との間に位置し、同様に、ブレードユニットに潤滑体２８’が設けられている場合、第２部分２４”は、最も後方にあるブレード縁２２と潤滑体２８’との間に位置する。第１部分２４’及び第２部分２４”双方は、図５Ｂから図５Ｄに示すように、点状まで減少され得る、または、存在しないことがあり得る。
【００６３】
皮膚接触部材１６は、枠体３０に設けられた別個の部材であり、このため、ブレードユニット１４に取り付け可能であり得る。
【００６４】
接続手段によれば、剃刀ハンドル１２と剃毛ブレード組立体１８との間の接続は、固定されているまたは回動可能である。図１Ａから図１Ｃは、回動式の剃毛ブレード組立体を示す一方、図１Ｄは、固定式の剃毛ブレード組立体を示す。皮膚接触部材１６、ひいては枠体３０は、筐体２４に具体的に適合され得る。例として、図１Ａから図１Ｃは、３つの異なる皮膚接触部材１６（ひいては枠体３０）を示す。図１Ｄは、図１Ｃに示した皮膚接触部材と同じ皮膚接触部材１６を示しており、実際に、図１Ｃにおいて、剃毛ブレード組立体は、回動可能である一方、図１Ｄにおいて、剃毛ブレード組立体は、固定されている。
【００６５】
皮膚接触部材１６は、ブレードユニット１４を好ましくは摩擦式に受け、それにより、皮膚接触部材は、ブレードユニット１４に搭載されて自然に保持され得、これは、皮膚接触部材１６の枠体３０がブレードユニット１４の筐体２４と摩擦を用いて協働するように設計されていることを意味する。
【００６６】
皮膚接触部材は、同様に、ブレードユニットに弾性的に搭載可能であり、より詳しくは、皮膚接触部材の枠体３０は、枠体をブレードユニット１４に接続している間、弾性変形し得る。これは、枠体３０の弾性が剃毛筐体２４の弾性よりも高いことを意味する。
【００６７】
摩擦力に及び皮膚接触部材の弾性にしたがって、搭載後に、皮膚接触部材１６は、ブレードユニット１４に恒久的に接続され得る、または、好ましくはブレードユニット１４に解放可能に（すなわち取外し可能に）接続され得る。皮膚接触部材１６をブレードユニット１４に解放可能に接続すると、皮膚接触部材１６とブレードユニット１４との間の摩擦は、皮膚接触部材１６をブレードユニット１４で保持するようになり得、それにより、取り外す危険なく剃毛することを可能とする。その上、皮膚接触部材１６をブレードユニット１４から自発的に解放させる／取り外すことは、著しい力を使用することなく実現され得る（皮膚接触部材をブレードから分離させることは、工具を利用することなく得られ得る）。
【００６８】
いずれの場合においても、皮膚接触部材は、ブレードユニットに対して移動しないように固定されている。皮膚接触部材１６は、例えば、ブレードユニット１４に対してスナップ係合され得る。図３Ａから図３Ｃ及び図４Ａから図４Ｄで最もよくわかるように、１以上の突起３２は、枠体３０に設けられており、上記スナップ係合を発生させた後に、皮膚接触部材１６をブレードユニット１４に取り付けて強固に維持することを可能とする。このため、筐体２４に取り付けるときに、皮膚接触部材１６は、筐体２４に対して移動できないかつ／または反れない。
【００６９】
皮膚接触部材１６は、好ましくは、図面に示すように、ブレードユニット１４を囲んでいるが、理解すべきことは、本発明がこの幾何形状に限定されないこと、である。
【００７０】
皮膚接触部材１６は、剃毛ブレード２０の前方に延在する先行皮膚接触部分３４と、剃毛ブレード２０の後方に延在する後行皮膚接触部分３６と、を備え得る。より詳しくは、先行皮膚接触部分３４は、（皮膚接触部材１６をブレードユニット１４に取り付けると）最も前方にあるブレードの前方に位置し、後行皮膚接触部分３６は、最も後方にあるブレードの後方に位置する。その上、皮膚接触部材１６は、サーモクロミック顔料を備え得る。このような顔料は、ユーザに情報を伝えるために使用され得、例えば、顔料は、剃毛を改善するために、皮膚接触部材が冷た過ぎると皮膚接触部材１６を青色に色付け得、顔料は、剃毛を改善するために、皮膚接触部材が熱過ぎる（そして火傷の危険性がある）と、皮膚接触部材１６を赤色に色付け得、顔料は、皮膚接触部材の使用準備が整うと、皮膚接触部材１６をピンク色に色付け得る。このため、皮膚接触部材１６に設けられた顔料は、顔料が皮膚接触部材１６の温度にしたがって色を変えるので、指標をユーザに提供し得る。
【００７１】
図５Ａから図５Ｄで最もよくわかるように、先行皮膚接触部分３４は、好ましくは、先行面３４Ａを備え、後行皮膚接触部分３６は、好ましくは、後行面３６Ａを備え、先行面３４Ａ及び後行面３６Ａは、これら面に接する接触平面Ｐ１を画成する。
【００７２】
先行面３４Ａは、好ましくは、平坦面である。後行面３６Ａは、好ましくは、平坦面である。先行面３４Ａ及び後行面３６Ａ双方が平坦面である時、先行平坦面３４Ａ及び後行平坦面３６Ａは、接触平面Ｐ１に含まれる。
【００７３】
その上、図６Ａの実施形態において、筐体２４の第１部分２４’及び第２部分２４”は、ブレードユニット平面Ｐ３を画成する、すなわち、ブレードユニットＰ３は、筐体２４の第１部分２４’及び第２部分２４”に接する。筐体２４の第１部分２４’及び第２部分２４”のうちの一方が線状に縮小されると、ブレードユニット平面Ｐ３は、図６Ｂから図６Ｄに示すように、線に接する。このため、ブレードユニット平面は、ブレードユニットの防護体及びキャップに接する。ブレードユニット１４を皮膚接触部材１６に接続しないと、ブレードユニット平面Ｐ３は、剃毛平面に対応する。実際には、ブレードユニット１４は、皮膚接触部材１６に接続されることなく剃毛するために使用され得、この場合において、剃毛平面は、ブレードユニット平面Ｐ３に対応する。
【００７４】
以下で詳述するように、剃毛平面は、ブレードユニット１４を剃毛のために使用する場合に皮膚接触部材１６に接続すると、ブレードユニット平面Ｐ３とは異なる。
【００７５】
先行皮膚接触部分３４は、先行長手方向面３４Ｂをさらに備え得、この先行長手方向面は、先行湾曲面３４Ｃを介して先行平坦面３４Ａに接続される。同様に、後行皮膚接触部分３６は、後行長手方向面３６Ｂをさらに備え得、この後行長手方向面は、後行湾曲面３６Ｃを介して後行平坦面３６Ａに接続される。
【００７６】
先行長手方向面３４Ｂは、好ましくは、先行平坦面３４Ａに対して十分に垂直であり、筐体２４の前方で長手方向軸Ｘ−Ｘに対して長手方向に延在する。より詳しくは、先行長手方向面３４Ｂは、筐体２４の前縁２４Ａの前方に延在する。
【００７７】
その上、後行長手方向面３６Ｂは、同様に、好ましくは、後行平坦面３６Ａに対して十分に垂直であり、筐体２４の後方で長手方向軸Ｘ−Ｘに対して長手方向に延在する。より詳しくは、後行長手方向面３６Ｂは、筐体２４の後縁２４Ｂの前方に延在する。
【００７８】
（先行及び後行）長手方向面３４Ｂ、３６Ｂそれぞれは、（先行及び後行）湾曲面３４Ｃ、３６Ｃによって（先行及び後行）平坦面３４Ａ、３６Ａに各別に接続される。先行湾曲面３４Ｃ及び後行湾曲面３６Ｃ双方は、好ましくは、１ｍｍから３ｍｍの間、好ましくは約２ｍｍである曲率半径Ｒを有する。
【００７９】
枠体３０は、長手方向軸Ｘ−Ｘに対して対称であっても対称でなくてもよい。すなわち、（先行及び後行）平坦面３４Ａ、３６Ａそれぞれは、異なる寸法であり得る。その上、枠体の内部は、以下で詳述するように、ブレード縁の前方に位置する部分とブレード縁の後方に位置する部分との間で、構造的に異なり得る。図５Ａ及び図５Ｂの実施形態において、（先行及び後行）平坦面３４Ａ、３６Ａそれぞれは、同一の寸法及び表面である一方、図５Ｃ及び図５Ｄの実施形態において、後行平坦面３６Ａは、先行平坦面３４Ａよりも小さい。内面的に、図５Ａの実施形態は、長手方向軸Ｘ−Ｘに対して対称である一方、他の実施形態は、そうなっていない。
【００８０】
図３Ａから図３Ｃ及び図５Ａから図５Ｄで最もよくわかるように、皮膚接触部材１６を備える枠体３０は、すでに上述したように、ブレードユニット１４に接続された別個の素子であり得、図面に示すように、ブレードユニットを囲み得る。この場合において、枠体３０には、好ましくは、開口部３８が設けられており、刃先２２は、図２で最もよく示すように、ブレードユニット１４に搭載すると、この開口部を通してアクセス可能である。この開口部３８は、好ましくは、筐体２４に嵌めるために形状付けされている。より詳しくは、枠体３０は、少なくとも１つの横方向部分４０を有する内壁を備える。
【００８１】
図３Ａの実施形態で示すように、枠体３０には、２つの横方向部分４０が設けられ得、これら横方向部分それぞれは、筐体の前縁２４Ａ及び後縁２４Ｂと各別に協働する。この場合において、枠体３０は、図５Ａに示すように、２つの横方向部分が筐体２４の前縁２４Ａ及び後縁２４Ｂと協働することによって、ブレードユニット１４に接続されている。
【００８２】
他の実施形態（図３Ｂ及び図３Ｃ参照）に示すように、枠体３０には、前縁２４Ａと協働する１つのみの横方向部分４０が設けられ得る。この場合において、枠体３０は、図５Ｂ及び図５Ｃに示すように、横方向部分が前縁２４Ａと協働することによって、ブレードユニット１４に接続されている。
【００８３】
本発明にかかる枠体３０は、２つの短手方向部分４２をさらに備え得、これら短手方向部分は、先行皮膚接触部分３４と後行皮膚接触部分３６をブレードユニット１４の各側で接続する。
【００８４】
短手方向部分４２それぞれは、好ましくは、筐体２４の上面２４Ｃの一部を包み込む短手方向面４２Ａと、短手方向面４２Ｂと、を備える。短手方向面４２Ａは、好ましくは、湾曲面４２Ｃを介して短手方向面４２Ｂに接続されており、この湾曲面は、好ましくは約２ｍｍの曲率半径Ｒを有する。短手方向面は、図面に示すように、これら短手方向面が上面２４Ｃに嵌るように形付けられている。実際には、図１Ａに示すように、ブレードユニット１４にクリップ２３が設けられている場合、短手方向面は、これら短手方向面がクリップ２３にそしてクリップ２３を覆うように嵌るように形付けられている。
【００８５】
横方向面４２Ｂ、先行長手方向面３４Ｂ及び後行長手方向面３６Ｂは、枠体３０の周壁を形成するために、接続されており、上記周壁は、筐体２４を包み込む。この周壁には、横方向面４２Ｂそれぞれと先行長手方向面３４Ｂ及び後行長手方向面３６Ｂそれぞれとの間にある丸角が設けられている。
【００８６】
ブレードユニット１４を皮膚接触部材１６に取り付けると、剃毛ブレード組立体は、組立体平面Ｐ２をさらに有する。この組立体平面Ｐ２は、接触平面Ｐ１と平行でありかつ最も後方にあるブレード縁２２（すなわち、防護棒２６から最も遠いブレード縁２２）に接する平面に対応する。すなわち、組立体平面Ｐ２は、最も後方にあるブレード縁に接する平面であり、距離Ｄだけ接触平面Ｐ１から離間している。
【００８７】
ブレードユニットに単一のブレードが設けられている場合、理解すべきことは、組立体平面Ｐ２が接触平面Ｐ１と平行な平面でありかつ単一のブレードのブレード縁に接すること、である。
【００８８】
枠体３０の幾何形状、特にこの枠体の短手方向部分４０及びこの枠体の短手方向面４２Ａは、突起３２と組み合わせて、枠体３０を筐体に搭載して筐体で維持することを改善することをもたらし、ひいては、図５Ａから図５Ｄで最もよくわかるように、接触平面Ｐ１と組立体平面Ｐ２との間の距離Ｄのより良好な制御をもたらす。
【００８９】
突起３２は、枠体３０のいずれかの場所に位置し得、それにより、突起は、筐体２４と接触する。図３Ａから図３Ｃ及び図４Ａから図４Ｄに示すように、２つの突起３２は、横方向部分があるときに横方向部分４０間で、枠体３０の内側に、好ましくは（後述するように）横方向面４２Ｂにおいて互いに横方向反対側に設けられ得る。これら突起３２は、筐体２４と接触するように設計されている。
【００９０】
図１Ａ及び図１Ｄに示す実施形態のようにいくつかの実施形態において、突起３２は、筐体２４に設けられた凹所３３と接触するように設計されている。すなわち、図示した他の実施形態（図１Ｂから図１Ｄ及び対応する図４Ｂから図４Ｄ参照）において、突起３２は、筐体２４の下面２４Ｄと接触するように設計されている。実際には、これら実施形態において、突起３２は、筐体２４の下方に嵌るフックのようである。このため、突起３２は、筐体２４を受けるための対応した形状を有し得る。以下で詳述するように、筐体２４は、傾斜した方法で枠体３０に受けられ得、この場合において、突起３２のうち筐体２４と協働する部分は、図３Ａから図３Ｃで最もよくわかるように、対応して傾斜している。
【００９１】
図３Ａの実施形態に関して、上述したことは、枠体３０には筐体の前縁及び後縁２４Ａ、２４Ｂと協働する２つの横方向部分４０が設けられ得ること、である。図面に示しかつ１つのみの横方向部分４０が設けられている他の実施形態に関して（図３Ｂ及び図３Ｃ参照）、皮膚接触部材１６には、ブレードユニット１４と枠体３０との取り付けを改善するために、リブ３７が設けられ得る。リブ３７は、好ましくは、横方向面４２Ｂのうちの少なくとも一方に設けられている。
【００９２】
リブ３７が傾斜していることにより、枠体３０内で筐体２４が傾斜することが可能となる。リブ３７の形状は、筐体２４の形状に、及び、以下で詳述するようにブレードユニット１４を皮膚接触部材１６に接続したときに予想されるブレード角の変化に、適合される。
【００９３】
その上、図３Ａから図３Ｃで最もよくわかるように、皮膚接触部材１６には、枠体をブレードユニット１４に組み立てる処理中にブレードユニット１４を安定させるために、切欠部３５が設けられ得る。切欠部は、好ましくは、横方向部分４０のうちの少なくとも１つに位置する。
【００９４】
図３Ａの実施形態において、枠体には、切欠部３５のみが設けられており、リブが設けられていない、すなわち、第１対の切欠部３５は、第１横方向部分４０に設けられており、第２対は、第１対とは反対側において反対側の横方向部分４０に設けられている。
【００９５】
枠体には、切欠部３５及びリブ３７が設けられ得る。切欠部３５は、横方向部分４０に設けられ得、リブは、横方向部分４０とは反対側で、先行長手方向面３４Ｂ及び後行長手方向面３６Ｂのうちの一方に設けられ得る。図３Ｂ及び図３Ｃの実施形態において、１対の切欠部３５は、（先行長手方向面３４Ｂの近くで）横方向部分４０に設けられており、複数のリブは、横方向部分４０とは反対側で、後行長手方向面３６Ｂに設けられている。
【００９６】
図６Ａから図６Ｄでわかるように、筐体２４に設けられたブレード２０それぞれのブレード縁２２は、ブレードユニット平面Ｐ３に関して正の、負のまたはナシ（０に等しい）の露出を有し得る。
【００９７】
実際に、ブレードユニット１４は、皮膚接触部材１６なく剃毛するために使用され得る。しかしながら、剃毛とブレード２０のひいてはこれらブレード縁２２の滑り性及び／または傾斜を改善するため、ブレードユニット１４は、皮膚接触部材１６に取り付けられ得る。
【００９８】
すでに規定したように、ブレードユニット１４を皮膚接触部材１６に取り付けると、剃毛ブレード組立体は、組立体平面Ｐ２をさらに有する。
【００９９】
図５Ａから図５Ｄで最もよくわかるように、筐体２４に設けられたブレード２０それぞれのブレード縁２２は、上記組立体平面Ｐ２に関して正の、負のまたはナシ（０に等しい）の露出を有し得る。ブレードユニット平面Ｐ３（図５Ａから図５Ｄ参照）に関して同じことが言える。しかしながら、これは、ブレードが組立体平面Ｐ２に関して及びブレードユニット平面Ｐ３に関して同一の露出を有すること、を意味してはいない。このため、最も後方にあるブレード縁２２の露出にしたがって、組立体平面Ｐ２は、接触平面Ｐ１の上方にもしくは下方にあるまたは接触平面と一致する。
【０１００】
ブレードユニットに複数のブレード２０が設けられている場合、ブレード縁の露出は、上記組立体平面Ｐ２に関してまたは接触平面Ｐ１に関して１つのブレードから他のブレードまで、前進的に連続的であり、増加するかつ／または減少し得る。ブレードユニット平面Ｐ３に関して同じことが言える（図５Ａから図５Ｄ参照）。しかしながら、これは、これらブレードのうちの１つを考慮したときに、このブレードが組立体平面Ｐ２に関してかつブレードユニット平面Ｐ３に関して同じ露出を有すること、を意味してはいない。また、ブレード露出の増加／減少または連続性は、接触平面Ｐ１に関してかつブレードユニット平面Ｐ３に関して異なり得る。実際には、ブレードそれぞれは、ブレードユニット平面Ｐ３に関して第１ブレード露出Ｅ２２を有し、接触平面Ｐ１に関して第２の異なるブレード露出Ｅ’２２を有する。
【０１０１】
組立体平面Ｐ２は、少なくとも最も後方にあるブレードのブレード露出が上記接触平面Ｐ１に関して正であると接触平面Ｐ１の上方にあり、負であると接触平面Ｐ１の上方または下方にある。ブレードそれぞれのブレード露出は、ブレード縁それぞれが接触平面Ｐ１の上方にあると接触平面Ｐ１に関して正であり、接触平面Ｐ１の下方にあると負である。
【０１０２】
組立体平面Ｐ２及び接触平面Ｐ１は、ブレードの露出が上記接触平面Ｐ１に関して０に等しいと、面一になる。ブレードが可動であると、露出は、それら静止位置に付与される。
【０１０３】
ブレードユニット１４に接続すると、皮膚接触部材１６の接触平面Ｐ１は、組立体平面Ｐ２と平行かつ上方にある。好ましくは、接触平面Ｐ１と組立体平面Ｐ２との間の距離Ｄは、０．２ｍｍから０．６ｍｍの間であり、好ましくは、約０．３ｍｍである。すなわち、ブレード縁２２は、接触平面Ｐ１の真下にあり、これは、剃毛の改善及びユーザが剃毛しているときに皮膚を不意に切る危険性の低減を引き起こす。距離Ｄが０．６ｍｍより大きいと、接近の低減を引き起こす一方で、距離が０．２ｍｍより小さいと、皮膚接触部材の効率は、低減される。実際には、ブレード縁２２は、ブレードユニット平面Ｐ３に関して正の露出を有し得る一方、ブレード縁は、接触平面Ｐ１に関して負の露出を有する。第２ブレード露出Ｅ’２２は、第１ブレード露出Ｅ２と等しいまたは第１ブレード露出より大きいもしくは小さくてもよい。
【０１０４】
組立体平面Ｐ２に関して上記で規定したブレード露出によれば、ブレード２０それぞれのブレード縁２２は、接触平面Ｐ１の上方もしくは下方にあり得るまたは接触平面に接し得る。
【０１０５】
ブレードユニット及び皮膚接触部材を一緒に取り付ける方法によれば、ブレード角は、同様に変化し得る。一般に、ブレードは、２つのテーパ付小面を備え、これら小面は、エッジ角を形成し、上記エッジ角の二等分線は、エッジ部分軸である。ブレード角は、ブレードユニット及び皮膚接触部材が分離されていると、このエッジ軸とブレードユニット平面Ｐ３との間の角度として画成され、ブレードユニット及び皮膚接触部材を一緒に取り付けると、この軸と接触平面Ｐ１との間にある。より詳しくは、ブレードそれぞれは、エッジ軸とブレードユニット平面Ｐ３との間の角度として画成された第１ブレード角Ａ２２を有し、エッジ軸と接触平面Ｐ１との間または（組立体平面Ｐ２が接触平面Ｐ１と平行なので）エッジ軸から組立体平面Ｐ２への角度として画成された第２ブレード角Ａ’２２を有する。図示の例において、ブレード角は、ブレードユニットのブレード全てに関して同じであるが、ブレード角は、同じブレードユニットにおけるブレードごとに異なり得る。すなわち、ブレードユニット平面Ｐ２に関して測定したブレードユニットのブレード全ての第１ブレード角Ａ２２は、等しい。この場合において、接触平面Ｐ１に関して測定したブレードユニットのブレード全ての第２ブレード角Ａ’２２は、同様に、等しい。ブレードユニット１４及び皮膚接触部材１６を一緒に取り付ける方法によれば、ブレードを考慮すると、第１角Ａ２２は、第２角Ａ’２２に等しいことがある。
【０１０６】
しかしながら、第１角Ａ２２は、第２ブレード角Ａ’２２と異なってもよい。第２ブレード角Ａ’２２は、第１ブレード角Ａ２２よりも大きくてもよく、小さくてもよい。
【０１０７】
第１ブレード角は、好ましくは、５°から３０°の間、好ましくは１２°から２７°の間である。第２ブレード角は、好ましくは、５°から３０度の間、好ましくは１８°から２２°の間である。
【０１０８】
図１Ａ、図２Ａ、図４Ａ、図５Ａ及び図６Ａの実施形態において、ブレード角は、ブレードユニット及び皮膚接触部材を一緒に取り付けたか否かによらず、１つのブレードに関して同じである。これは、ブレードそれぞれに関して、第１ブレード角Ａ２２が第２ブレード角Ａ’２２に等しいこと、を意味する。また、ブレード角は、ブレード全てに関して同じである。ブレード角Ａ２２、Ａ’２２は、好ましくは、一定であり、５°から３０°の間である、ブレード角Ａ２２，Ａ’２２は、好ましくは、一定であり、１０°から２５°の間である。例えば、第１ブレード角Ａ２２及び第２ブレード角Ａ’２２は、１８°に等しい。実際には、この実施形態において、皮膚接触部材１６に取り付けることは、ブレード角を変化させず、組立体平面Ｐ２、接触平面Ｐ１及びブレードユニット平面Ｐ２は、枠体３０にリブが設けられておらず筐体との接続が横方向面４０を介してなされているので、平行であり、その結果、枠体３０内で筐体が傾かない。
【０１０９】
この実施形態に関して、同じブレード露出を有するブレードの例に加えて、ブレード縁２２のブレードユニット平面Ｐ２に関する正の露出がＤよりも小さいと（図６Ａ）、むしろ、ブレード縁の露出は、皮膚接触部材１６に取り付けたときに（図５Ａ）負である。ブレード縁２２の組立体平面Ｐ２に関する正の露出がＤよりも起きい場合、むしろ、ブレード縁２２の露出は、接触平面Ｐ１に関して正になる。例えば、ブレード縁２２の露出がブレードユニット平面Ｐ３に関して１００μｍであると、接触平面Ｐ１に関する上記ブレード縁２２の露出は、負になる（Ｄは、０．２ｍｍから０．６ｍｍの間である）。本発明の好ましい実施形態において、接触平面Ｐ１に関するブレード縁２２それぞれの露出は、負である。
【０１１０】
他の実施形態にかかるブレード角は、好ましくは、ブレードユニットを皮膚接触部材１６に接続すると、変化される。
【０１１１】
図１Ｂ、図２Ｂ、図４Ｂ、図５Ｂ及び図６Ｂの実施形態を考慮すると、留意することは、ブレードユニットに単一のブレード２０が設けられていること、である。第１ブレード角Ａ２２は、第２ブレード角Ａ’２２よりも小さい。例えば、第１ブレード角Ａ２２は、約２２°である一方、第２ブレード角Ａ’２２は、約１８°まで減っている。ブレードユニット１４は、リブ３７のおかげで傾いた状態で皮膚接触部材１６に接続されている。リブ３７は、これらリブが被覆体２８を受けつつ第２ブレード角Ａ’２２の具体的な値をもたらすように構成されるように傾いている。組立体平面Ｐ２、接触平面Ｐ１及びブレードユニット平面Ｐ３は、平行ではない。実際には、組立体平面Ｐ２及び接触平面Ｐ１は、平行である一方、ブレードユニット平面Ｐ３は、組立体平面Ｐ２と交差し、ブレードユニット平面Ｐ３は、接触平面Ｐ１と交差する。角度βは、ブレードユニット平面Ｐ３と組立体平面Ｐ２との間、またはブレードユニット平面Ｐ３と接触平面Ｐ１との間に、画成され得る。より重要なことは、角度βであり、ブレード角のより重要な変化が第１ブレード角Ａ２２と第２ブレード角Ａ’２２との間で得られる。
【０１１２】
ここで図１Ｃ、図２Ｃ、図４Ｃ、図５Ｃ及び図６Ｃに進むと、３つのブレード２０は、回動式剃毛ブレード組立体１８に設けられており、これらブレードは、同じブレード角を有し、第１ブレード角Ａ２２は、第２ブレード角Ａ’２２よりも小さい。３つのブレード２０は、回動式剃毛ブレード組立体１８に設けられ、同じブレード角を有するが、第１ブレード角Ａ２２は、第２ブレード角Ａ’２２よりも大きくなり得る。例えば、第１ブレード角Ａ２２は、約２２°である一方、第２ブレード角Ａ’２２は、約１８°まで減る。ブレードユニット１４は、枠体３０に設けられた傾斜内壁３９のおかげで傾いた状態で皮膚接触部材１６に接続されている。枠体３０には、横方向面４０と組み合わせるリブ３７が設けられていることに加え、枠体は、皮膚接触部材１６を筐体２４上で保持する。傾斜内壁３９は、筐体の開口部３８と内部にリブ３７に設けられた先行長手方向面３４Ｂとの間に位置する（図３Ｃ参照）。傾斜内壁３９には、筐体２４に設けられた潤滑体２８’を損傷することなく正確に受けるために、異なる傾斜で設けられ得る。このため、図３Ｃに及び図４Ｃに示すように、回動式剃毛ブレード組立体１８に組み立てると、枠体３０は、少なくとも２つの傾斜内壁部分３９’及び３９”を有し得る。傾斜内壁３９’は、潤滑体２８’と協働するように構成され得る一方、傾斜内壁３９”は、筐体２４の上面２４Ｃと協働するように構成されている。リブ３７は、この実施形態において、これらリブが第２ブレード角Ａ’２２の具体的な値をもたらすことなく被覆体２８を受けるように構成されるように傾斜してはおらず、傾斜内壁３９は、この結果をもたらす。組立体平面Ｐ２、接触平面Ｐ１及びブレードユニット平面Ｐ３は、平行ではない。実際には、組立体平面Ｐ２及び接触平面Ｐ１は、平行である一方、ブレードユニットプレートＰ３は、組立体平面Ｐ２及び接触平面Ｐ１と交差する。角度βは、ブレードユニット平面Ｐ３と組立体平面Ｐ２との間に、または、ブレードユニット平面Ｐ３と接触平面Ｐ１との間に、画成され得る。より重要なことは、角度βであり、ブレード角のより重要な変化が第１ブレード角Ａ２２と第２ブレード角Ａ’２２との間で得られる。
【０１１３】
ここで図１Ｄ、図２Ｄ、図４Ｄ、図５Ｄ及び図６Ｄの実施形態に進むと、３つのブレード２０は、固定式剃毛ブレード組立体１８に設けられており、これらブレードは、同じブレード角を有し、第１ブレード角Ａ２２は、第２ブレード角Ａ’２２よりも小さい。実際には、枠体３０は、図５Ｃ及び図６Ｃの実施形態に関連する枠体３０と同じであり、それにより、上述した説明は、同様に、ここで、図５Ｄ及び図６Ｄの実施形態に適用する。
【０１１４】
剃毛を改善するために、本発明にかかる剃毛ブレード組立体は、具体的な構造を有する。より詳しくは、ブレードユニット皮膚接触表面積Ｓ１は、ブレードユニット１４に関連して画成され得、剃毛ブレード組立体皮膚接触表面積Ｓ２は、「ブレードユニット１４及び皮膚接触部材１６」に関連して画成され得る。
【０１１５】
図７Ａに概略的に示すように、このようなブレードユニット皮膚接触表面積Ｓ１は、ブレードユニットのうち剃毛中に皮膚と接触する表面に対応し、実際には、ブレードユニット皮膚接触表面積Ｓ１は、（防護棒２６及び潤滑体２８’を有する）筐体の上面２４Ｃとクリップがあるときにクリップ２３とを備える。筐体内に収容されているブレードは、これらブレードの皮膚との接触平面が多かれ少なかれ０であるので、考慮しない。その上、ブレードが移動可能であると、この接触表面は、１つの剃毛中で変化するが、面積及び比率を変更しない。これは面積及び比率は、同じである。
【０１１６】
図７Ｂに概略的に示すように、剃毛ブレード組立体皮膚接触表面積Ｓ２は、皮膚接触部材１６の及び皮膚接触部材１６を通してアクセス可能であり剃毛中に皮膚と接触するアクセス可能な表面の表面に対応し、より詳しくは、ブレードユニットのアクセス可能な表面は、剃毛ヘッド平面にある潤滑体及び防護体であり、この剃毛ヘッド平面は、アダプタ頂面平面と垂直距離にあり、実際には、剃毛ブレード組立体皮膚接触表面積Ｓ２は、２つの短手方向表面４２Ａ、先行平坦面３４Ａ、後行平坦面３６Ａ及び（防護棒２６及び潤滑体２８’を有する）筐体の上面２４Ｃの一部を備え、図面に示す実施形態において、ブレードユニット１４に設けられたクリップ２３があっても、これらクリップは、これらクリップが短手方向表面４２Ａによって被覆されないので、考慮されない。ブレードが上記クリップとは別の素子を用いて筐体に固定されている（または図１Ｂから図１Ｄの実施形態の場合のように固定式ブレードである）場合、皮膚接触部材に設けられた開口部に対するその位置にしたがった剃毛ブレード組立体皮膚接触表面積Ｓ２が考慮されても考慮されなくてもよい。その上、上述のように、筐体内に収容されたブレードは、同様に、考慮されない。
【０１１７】
実際には、剃毛中、剃刀１０は、剃毛される皮膚に当接して付けられ、このため、剃刀のいくつかの部分は、皮膚と接触し、力は、このように剃刀を皮膚Ｓに当接して付けることに反応して働く。力分配は、剃刀のうち皮膚に接触する表面に接続されている。本発明は、より安全な剃毛を得て心地よい剃毛の経験（改善した滑り性、柔らかさ及び／または皮膚の潤い並びに低減した剃毛時間）を提供するために、皮膚に接触する表面を最適化することである。
【０１１８】
皮膚接触部材１６が設けられていないブレードユニット１４が設けられた剃刀（従来の剃刀を意味する）を用いて剃毛することが生じる場合、皮膚は、皮膚の変形または貫通Ｈ１を伴って、図９に概略的に示すように変形する。
【０１１９】
皮膚接触部材１６が設けられたブレードユニット１４が設けられた剃刀を用いて剃毛することが生じる場合、皮膚の変形及び貫通Ｈ２を伴って、図１０に概略的に示すように変形する。
【０１２０】
明らかなことは、剃刀に本発明にかかる皮膚接触部材１６が設けられていると、皮膚が異なるように変形すること、である。より滑らかな接触は、本発明の剃刀を用いて得られる。高さＨ２は、常にＨ１よりも小さい。
【０１２１】
その上、剃毛中に剃刀は、剃刀ハンドルを用いて皮膚に対して力ＦＨをかけ、それに応じて、全力ＦＴｏｔａｌは、発生する。容易に示すために、矢印は、当該力の分布を示しており、ここで、
ＦＡ：皮膚から皮膚接触部材１６への反力、
ＦＢ１：皮膚接触部材１６を使わない場合に皮膚から剃刀への反力、
ＦＢ２：皮膚接触部材１６を使った場合に皮膚から剃毛ヘッドにかかる反力、
である。
【０１２２】
力ＦＨ及びＦＴｏｔａｌ双方は、（皮膚接触部材１６がある及びない）両場合で、等しい。
【０１２３】
（皮膚接触部材１６がない）図７Ａに示す剃刀を参照すると、全力ＦＴｏｔａｌは、この場合において、皮膚から剃刀にかかる力に等しい、すなわち、ＦＴｏｔａｌ＝ＦＢ１＝ＦＨである。
【０１２４】
（皮膚接触部材１６がある）図１０に示す本発明に狩る剃刀を参照すると、全力ＦＴｏｔａｌは、この場合において、皮膚から剃刀にかかる力に等しい、すなわち、ＦＴｏｔａｌ＝ＦＡ＋ＦＢ２＝ＦＨである。
【０１２５】
皮膚接触部材１６がないと、剃刀は、負荷さＨ１を皮膚内へ形成する強い変形を引き起こす。さらに、接触力ＦＢ１の集中は、皮膚保護体前方面積に関して著しく小さい剃毛ヘッド前方面積に等しい面積にある皮膚にかかる力ＦＨの結果として生じる。皮膚接触部材１６は、皮膚と接触しており、全力の多くのパーセンテージを吸収する。その結果、皮膚接触部材１６を使用しない以前の場合より、ブレードから皮膚にかかる力が小さく、｜ＦＢ２｜＜｜ＦＡ｜，｜ＦＢ２｜＜｜ＦＢ１｜である。
【０１２６】
図１０に示すように、皮膚接触部材１６を用いて、力ＦＨは、剃刀の下のより大きな面積に分配され、皮膚接触部材１６は、十分に強くなくより滑らかな皮膚変形を引き起こし、この皮膚変形は、高さＨ１よりも小さい深さＨ２を形成し、皮膚の局所的な変形の形状は、同様に、皮膚接触部材１６を設けると、低減される。その結果、皮膚保護アダプタは、改善した潤滑性を有してブレードと皮膚との間に安全な距離を提供し、このため、傷や切ることを低減する。
【０１２７】
図８に示すグラフで示すように、剃毛、潤滑性及び安全性を改善しつつ剃毛に必要な時間を低減した最もよい結果は、剃毛ブレード組立体皮膚接触表面積Ｓ２とブレードユニット皮膚接触表面積Ｓ１との間の比Ｓ２／Ｓ１が１．４から３．１の間にあるときに、得られる。比Ｓ２／Ｓ１は、２から３．１の間であり得る。その上、比Ｓ２／Ｓ１は、１．４から１．９５の間であり得る。皮膚接触部材の効率は、比Ｓ２／Ｓ１が１．４未満であると低減し、剃毛の精度は、比Ｓ２／Ｓ１が３．１よりも大きいと低減される。実際には、比Ｓ２／Ｓ１は、好ましくは、顔または腋の下のような領域を剃るために１．４から１．９５の間である。その上、比Ｓ２／Ｓ１は、好ましくは、例えば脚のような身体の大きな部分を剃るために２から３．１である。
【０１２８】
実際には、剃毛の好ましい結果（切ること、柔らかさ、潤滑性など）は、比Ｓ２／Ｓ１が２から３．１であり接触平面Ｐ１と組立体平面Ｐ２との間の距離Ｄが０．１ｍｍから０．６ｍｍである剃毛ブレード組立体を用いて、得られ、好ましくは、最も良好な結果を得る公称値は、比Ｓ２／Ｓ１が約２．５であり距離Ｄが約０．３ｍｍである剃毛ブレード組立体である理想の設計である。
【０１２９】
複数の種類の材料を皮膚接触部材１６に使用し得る。しかしながら、皮膚接触部材１６は、好ましくは、一部品として形成されており、単一材料である。好ましい材料は、（ＡＢＳまたは高研磨熱可塑性物質のような）プラスチック及び（軽合金のアルミニウムのような）金属またはラッカー塗装木質付加物の中から選択され得る。皮膚接触部材１６の材料の粗さは、特に先行平坦面３４Ａ及び後行平坦面３６Ａについて、皮膚に対する摩擦係数が皮膚の良好な伸長及び良好な滑り性を引き起こすように、なっている。例えば、摩擦係数は、皮膚接触部材１６が上述したプラスチックである場合に、０．３から０．７の間であり得る。摩擦係数は、皮膚接触部材が上述した金属である場合に、１．０５から１．３５の間であり得る。摩擦係数は、皮膚接触部材１６が上述したラッカー塗装木質付加物である場合に、０．２５から０．５の間であり得る。このような皮膚接触部材１６は、皮膚接触部材が潤滑化されているようになっている。
【０１３０】
本発明にかかる皮膚接触部材１６は、特にブレード縁２２の前方で皮膚を伸長させるときに、皮膚に対して作用し、それにより、毛は、接触平面Ｐ１に対して多かれ少なかれ垂直に延在する。その上、本発明にかかる皮膚接触部材１６は、（剃毛クリーム及び通常の石鹸のような）剃毛補助具を広げるときに、皮膚に対して作用し、剃毛補助具の浸透を改善する。皮膚は、剃毛補助具が湿潤製品である場合に、より良好に湿潤される。
【０１３１】
ここで、本発明にかかる剃毛ブレード組立体１８の幾何形状の例を開示する。皮膚接触部材１６は、長手方向軸Ｘ−Ｘに沿って４０ｍｍから５０ｍｍの間、好ましくは約４５ｍｍの長さＬ１を有し得る。皮膚接触部材１６は、長手方向軸Ｘ−Ｘに対して十分に垂直に取ると２０ｍｍから３０ｍｍの間の、好ましくは約２５ｍｍの幅Ｌ２を有し得る。これら寸法は、図面で示すように皮膚接触部材１６が湾曲横方向面４２Ｂを有する場合に、これら最大値で測定されている。皮膚接触部材１６は、好ましくは、長手方向軸Ｘ−Ｘに関して対称である。皮膚接触部材１６の開口部３８は、好ましくは、皮膚接触部材に中心合せされている。開口部の寸法は、ブレードユニット１４の筐体２４に嵌るように構成されている。
【０１３２】
例えば、３つのブレード２０とクリップ２３が設けられたブレードユニット（図１Ａ参照）に関して、開口部３８は、好ましくは、上側から見て十分に矩形状であり、長手方向軸Ｘ−Ｘに沿って取ると３０ｍｍから４０ｍｍの間、好ましくは約３５ｍの長さＬ３と、長手方向軸Ｘ−Ｘに対して十分に垂直に取ると８ｍｍから２０ｍｍの間、好ましくは約１２ｍｍの幅Ｌ４と、を有し得る。
【０１３３】
２つのブレード２０が設けられたブレードユニット（図１Ｂ参照）について、開口部３８は、好ましくは、上側から見て十分に矩形状であり、長手方向軸Ｘ−Ｘに沿って取ると３０ｍｍから４０ｍｍの間、好ましくは約３５ｍの長さＬ３と、長手方向軸Ｘ−Ｘに対して十分に垂直に取ると５ｍｍから８ｍｍの間、好ましくは約６．５ｍｍの幅Ｌ４と、を有し得る。
【０１３４】
回動式筐体２４に３つのブレード２０が設けられたブレードユニット（図１Ｃ参照）について、開口部３８は、好ましくは、上側から見て十分に矩形状であり、長手方向軸Ｘ−Ｘに沿って取ると３０ｍｍから４０ｍｍの間、好ましくは約３５ｍの長さＬ３と、長手方向軸Ｘ−Ｘに対して十分に垂直に取ると５ｍｍから１５ｍｍの間、好ましくは約９．５ｍｍの幅Ｌ４と、を有し得る。
【０１３５】
長手方向軸Ｘ−Ｘに沿って取った上記寸法Ｌ１及びＬ３は、好ましくは、これら寸法を皮膚接触部材１６の上面でまたはその下面で測定した場合に、同じである。横方向面４２Ｂそれぞれは、好ましくは、平坦であり、先行平坦面３４Ａ及び後行平坦面３６Ａによって画成された接触平面Ｐ１に垂直である。
【０１３６】
長手方向軸Ｘ−Ｘに垂直に取った上記寸法Ｌ２及びＬ４は、好ましくは、表面の高さに沿って若干変化している。より詳しくは、長さＬ２は、好ましくは、皮膚接触部材１６の下側から測定されており（それぞれ先行湾曲面３４Ｃ及び後行湾曲面３６Ｃの反対側にある先行長手方向面３４Ｂの自由端部と後行長手方向面３６Ｂの自由端部との間）、皮膚接触部材１６の上側から測定した場合には重要ではないことがある。先行長手方向面３４Ｂ及び後行長手方向面３６Ｂは、接触平面Ｐ１に対する垂直に対して若干傾き得る。実際には、好ましくは、先行長手方向面３４Ｂ及び後行長手方向面３６Ｂそれぞれは、接触平面Ｐ１に対して測定した角度αを有し得、この角度αは、８５°から９５°の間、好ましくは約９２°である。
【０１３７】
皮膚接触部材１６の内壁の横方向部分４０は、筐体２４に嵌り、同様に、接触平面Ｐ１に対する垂直に対して若干傾き得る。このため、幅Ｌ４について付与された値は、皮膚接触部材１６の上側で測定されている。実際には、Ｌ３及びＬ４は、開口部３８の寸法に対応しており、これら寸法は、好ましくは、皮膚接触部材１６の上側で測定されており、十分に重要な開口部を有することを有することを確実にし、それにより、ブレード２０、防護棒２６及び潤滑体２８’は、剃毛中に開口部３８を通してアクセス可能である。
【０１３８】
図４Ａから図４Ｄ及び図５Ａから図５Ｄで最もよくわかるように、皮膚接触部材１６の高さは、接触平面Ｐ１と（それぞれ先行湾曲面３４Ｃ及び後行湾曲面３６Ｃとは反対側にある）先行長手方向面３４Ｂの自由端部及び後行長手方向面３６Ｂの自由端部との間で測定され得、好ましくは、３ｍｍから７ｍｍの間、好ましくは約５ｍｍである。
【０１３９】
剃毛ブレード組立体には、剃毛ブレード組立体１８を剃刀ハンドル１２に接続するための接続手段が設けられている。より詳しくは、ブレードユニット１４または皮膚接触部材１６には、剃毛ブレード組立体１８を剃刀ハンドル１２に接続するための接続手段が設けられ得る。
【０１４０】
図１Ａから図１Ｃに示す例において、（図５Ａから図５Ｃで最もよくわかるように）接続手段４４は、剃刀ハンドル１２に対して剃毛ブレード組立体１８を（細長い軸Ｘ−Ｘ回りに）回動させることを可能とするが、本発明は、図１Ｄの実施形態で示すような回動式剃毛ブレード組立体に限定されない。図示のように、接続手段４４は、好ましくは、（筐体２４の下面２４Ｄにおいて）ブレードユニット１４に設けられている。
【０１４１】
接続手段４４は、特に剃毛ブレード組立体１８が剃刀ハンドル１２に対して回動可能である場合に、シェルベアリングを備え得るが、本発明は、この種類の接続手段に限定されない。その上、ハンドル１２は、ブレードユニット１４から取外し可能であっても、剃刀に関して取外し可能でなくてもよく、より詳しくは、ハンドル１２は、剃刀がシステム（ブレード２０が鈍るとブレードユニット１４を新たなブレードユニットと交換する一方、ハンドル１２を維持する、ことを意味する）であると取外し可能である一方、ハンドルは、剃刀が使い捨ての剃刀である（ブレードが鈍るとブレードユニット１４及びハンドル１２双方を新たなブレードユニット及びハンドルと交換する、ことを意味する）場合、取外し可能ではない。
【０１４２】
皮膚接触部材１６は、好ましくは、ブレードユニット１４を摩擦式に受け、それにより、皮膚接触部材は、ブレードユニット１４に取り付けられて自然に維持され得、これは、皮膚接触部材１６の枠体３０がブレードユニット１４の筐体２４の摩擦と協働するように設計されていること、を意味する。
【０１４３】
皮膚接触部材は、同様に、ブレードユニットに弾性的に搭載され得、より詳しくは、皮膚接触部材の枠体３０は、枠体をブレードユニット１４に接続している間に弾性変形し得る。これは、枠体３０の弾性が剃毛筐体２４の弾性よりも高いこと、を意味する。この点で、内壁及び特に横方向部分４０は、非連続的形状を有し得、内壁及び特に横方向部分には、波形のようなものが設けられ得、それにより、特に皮膚接触部材１６を筐体２４に搭載している間に内壁の弾性を増加させる。
【０１４４】
摩擦力に及び皮膚接触部材の弾性によれば、搭載後に、皮膚接触部材１６は、ブレードユニット１４に恒久的に接続され得る、または、好ましくは、ブレードユニット１４に解放可能に（すなわち、取外し可能に）接続され得る。皮膚接触部材１６がブレードユニット１４に解放可能に接続されると、皮膚接触部材１６とブレードユニット１４との間の摩擦は、皮膚接触部材１６をブレードユニット１４上で維持するようになり得、それにより、取り外れる危険性なく剃毛することを可能とする。その上、皮膚接触部材１６をブレードユニット１４から自発的に解放する／取り外すことは、十分な力を用いることなく実現され得る（皮膚接触部材をブレードユニットから分離することは、工具を用いずに得られ得る）。
【０１４５】
図１０から図１４を参照すると、特に塵埃から剃毛ブレード組立体１８（少なくともブレードユニット１４、より詳しくは刃先２２）を保護するために、かつ、ユーザを意図せず切ることから保護するために、剃毛ブレード組立体１８には、刃先２２それぞれを遮蔽するための保護被覆体４６が設けられ得る。
【０１４６】
保護被覆体４６は、好ましくは、剃毛ブレード組立体１８から完全に取外し可能であり（図１１参照）、好ましくは、剃毛ブレード組立体１８にスライド可能であり、それにより、保護被覆体は、容易に剃毛ブレード組立体１８に取り付けられ得、かつ、剃毛ブレード組立体から解放され得る。保護被覆体４６には、対応するロック体スロットと協働する少なくとも１つのロック体が設けられ得、このロック体スロットは、ロック体を受けるように形付けられており、皮膚接触部材１６に設けられて、図１４で最もよく示すように、保護被覆体４６を剃毛ブレード組立体１８にある完全停止位置で保持し、この完全停止位置では、保護被覆体４６は、剃毛ブレード組立体１８を多かれ少なかれ完全に覆う。このため、保護被覆体４６は、剃毛ブレード組立体１８から意図せず取り外されない。
【０１４７】
実際には、図１１で最もよくわかるように、保護被覆体４６には、例えば、保護被覆体４６の後面に設けられた２つのロック体４８が設けられており、図３及び図４でもっとよくわかるように、これらロック体は、皮膚接触部材１６に設けられた対応する２つのロック体スロット５０と協働するためのものである。
【０１４８】
保護被覆体４６は、上面５１を備え、この上面には、開口部５２が設けられ、剃毛ブレード組立体１８の通気を可能とする。実際には、図１０、図１１及び図１３で最もよくわかるように、４つの開口部５２は、例えば、上面５１に形成されており、完全停止位置にある図１４で最もよくわかるように、４つの開口部のうちの２つは、先行皮膚接触部分３４の前方にあり、４つの開口部のうちの２つは、後行皮膚接触部分３６の前方にある。
【０１４９】
タブ５６は、保護被覆体４６の後面に設けられている。より詳しくは、図１１及び図１３で最もよくわかるように、４つのタブ５６は、剃毛ブレード組立体上をスライドさせると保護被覆体４６が剃毛ブレード組立体１８を包み込めるように、設けられている。タブ５６及び上面５１は、保護被覆体４６を剃刀上でスライドさせると剃毛ブレード組立体１８を受け得る容積を画成する。保護被覆体４６は、保護被覆体を剃毛ブレード組立体１８上でスライドとさせると保護被覆体４６に対する当接を形成するボタン当接体５８をさらに備える。
【０１５０】
上述したロック体４８それぞれは、リブ４８を備え得、タブ５６の内面に設けられ得る。例えば、第１ロック体４８は、先行皮膚接触部分３４の側面にあるタブ５６のうちの一方に設けられており、第２ロック体は、後行皮膚接触部分３６の側面にあるタブ５６の一方に設けられている。第１ロック体スロット５０は、先行皮膚接触部分３４の側面にある保護被覆体４６に対応して設けられ得、第２ロック体スロット５０は、後行皮膚接触部分３６の側面にある保護被覆体４６に設けられ得る。実際には、複数のロック体及びロック体スロットを設け得る。例えば、１つのロック体４８は、４つのタブ５６それぞれに設けられ得、図１３に示すように、４つの対応するロック体スロット５０でスナップ嵌合する。同様に、ロック体は、保護被覆体４６に設けられ、ロック体スロットは、皮膚接触部材１６に設けられているが、逆（ロック体は、皮膚接触部材１６に設けられ、ロック体スロットは、保護被覆体４６に設けられている）、または、組合せ（ロック体及びロック体スロットは、皮膚接触部材１６に設けられ、ロック体及びロック体スロットは、保護被覆体４６に設けられている）も可能である。同様に、少なくとも１つのロック体及び少なくとも１つのロック体スロットは、皮膚接触部材１６に、及び、保護被覆体４６に、設けられている。
【０１５１】
保護被覆体４６を剃毛ブレード組立体１８上で完全にスライドさせると、保護被覆体は、その完全停止位置にあり、ロック体４８は、ロック体スロット５０に位置する。保護被覆体４６は、ロック体４８がロック体スロット５０にスナップ係合するまで、剃毛ブレード組立体１８上をスライドできる。
【０１５２】
図１５を参照すると、接続手段４４は、保護被覆体４６を剃毛ブレード組立体１８に接続したときに、依然としてアクセス可能である。実際には、保護被覆体４６を取り付ける／取り外すために、剃刀ハンドル１２を剃毛ブレード組立体１８から取り外す必要はない。
【０１５３】
保護被覆体４６は、例えばＡＢＳ、ポリプロピレンなどのプラスチックから選択された材料であり得る。保護被覆体は、好ましくは、一部品として成形されている。
【符号の説明】
【０１５４】
１０  湿式剃刀，剃刀、１２  剃刀ハンドル、１４  ブレードユニット、１６  皮膚接触部材、１８  固定式剃毛ブレード組立体，回動式剃毛ブレード組立体，剃毛ブレード組立体、２０  剃毛ブレード，ブレード、２２  刃先，ブレード縁、２４  回動式筐体，剃毛筐体，筐体、２４Ｃ  上面、３４  先行皮膚接触部分、３４Ａ  先行平坦面，先行面，平坦面、３５  切欠、３６  後行皮膚接触部分、３６Ａ  後行平坦面，後行面，平坦面、４４  接続手段、４６  保護被覆体、４８  第１ロック体，第２ロック体，ロック体、５０  第１ロック体スロット、第２ロック体スロット，ロック体スロット、Ａ２２  第１ブレード角、Ａ’２２  第２ブレード角、Ｄ  距離、Ｅ２２  第１ブレード露出、Ｅ’２２  第２ブレード露出、Ｐ１  接触平面、Ｐ２  組立体平面、Ｐ３  ブレードユニット平面、Ｓ１  ブレードユニット皮膚接触表面積、Ｓ２  剃毛ブレード組立体皮膚接触表面積
【図１Ａ】
0006526199.tif 000002
【図１Ｂ】
0006526199.tif 000003
【図１Ｃ】
0006526199.tif 000004
【図１Ｄ】
0006526199.tif 000005
【図２Ａ】
0006526199.tif 000006
【図２Ｂ】
0006526199.tif 000007
【図２Ｃ】
0006526199.tif 000008
【図２Ｄ】
0006526199.tif 000009
【図３Ａ】
0006526199.tif 000010
【図３Ｂ】
0006526199.tif 000011
【図３Ｃ】
0006526199.tif 000012
【図４Ａ】
0006526199.tif 000013
【図４Ｂ】
0006526199.tif 000014
【図４Ｃ】
0006526199.tif 000015
【図４Ｄ】
0006526199.tif 000016
【図５Ａ】
0006526199.tif 000017
【図５Ｂ】
0006526199.tif 000018
【図５Ｃ】
0006526199.tif 000019
【図５Ｄ】
0006526199.tif 000020
【図６Ａ】
0006526199.tif 000021
【図６Ｂ】
0006526199.tif 000022
【図６Ｃ】
0006526199.tif 000023
【図６Ｄ】
0006526199.tif 000024
【図７Ａ】
0006526199.tif 000025
【図７Ｂ】
0006526199.tif 000026
【図８】
0006526199.tif 000027
【図９】
0006526199.tif 000028
【図１０】
0006526199.tif 000029
【図１１】
0006526199.tif 000030
【図１２】
0006526199.tif 000031
【図１３】
0006526199.tif 000032
【図１４】
0006526199.tif 000033
【図１５】
0006526199.tif 000034